(57)【要約】【課題】印刷停止する前に最後に印刷したページのページ番号に基づいて印刷再開時のページ番号を決定できるプリンタを提供する。【解決手段】プリンタ１は，画像を印字するプリント部１１と排紙部２ｂの間に設置され，プリント部１１が印刷した印刷物２ｄに印字されたページ番号を光学的に読み取るカメラ１３と，各ページの中間ファイルを記憶しているスプール部１２と，印刷停止後に印刷を再開する際，カメラ１３を用いてページ番号を取得した後，スプール部１２を参照し，カメラ１３を用いて取得したページ番号の次のページ番号に対応する中間ファイルを未印刷の中間ファイルの中から検索し，検索した中間ファイルを用いて印刷を再開するプリンタ制御部１０を備える。【選択図】図２
2014226897.tif 000002
【特許請求の範囲】
【請求項１】
画像を印字するプリント部と排紙部の間に設置され，前記プリント部が印刷した印刷物に印字されたページ番号を光学的に読み取るカメラと，各ページの中間ファイルを記憶しているスプール部と，印刷停止後に印刷を再開する際，前記カメラを用いてページ番号を取得した後，前記スプール部を参照し，前記カメラを用いて取得したページ番号の次のページ番号に対応する前記中間ファイルを未印刷の前記中間ファイルの中から検索し，検索した前記中間ファイルを用いて印刷を再開するプリンタ制御部を備えたことを特徴とするプリンタ。
【請求項２】
プリンタが，印刷停止後に印刷を再開する際，画像を印字するプリント部と排紙部の間に設置されたカメラを用いて，印刷物からページ番号を光学的に読み取る段階と，各ページの中間ファイルを記憶しているスプール部を参照し，前記カメラを用いて取得したページ番号の次のページ番号に対応する前記中間ファイルを未印刷の前記中間ファイルの中から検索する段階と，検索した前記中間ファイルを用いて印刷を再開する段階を実行することを特徴とするプリンタの印刷再開方法。
【発明の詳細な説明】
【技術分野】
【０００１】
本発明は，複数のページを有する印刷物をプリンタで印刷している際，それまでに印刷したページと印刷再開後のページの連続性を保証するための技術に関する。
【背景技術】
【０００２】
複数のページを有する印刷物（例えば，帳票）をプリンタで印刷している際，プリンタで紙詰まりなどの障害が発生すると，プリンタを一時停止させ、障害を解除した後に印刷を再開するが，ページ番号をページ毎に印字する印刷物の場合、それまでに印刷したページと印刷再開後のページの連続性が保たれていることを確認する必要がある。
【０００３】
印刷再開後のページの連続性を確認できる従来技術として，特許文献１の従来の技術に，印刷完了したページ数とプリンタあるいは排紙スタッカからの信号入力数（排紙スタッカへの格納済みページ数）との差から、プリンタの制御装置内で印刷再開する際のページ番号を決定し，印刷再開時にこのページ番号から印刷を再開することが記載されている。
【先行技術文献】
【特許文献】
【０００４】
【特許文献１】特開平１１−２２７９８７号公報
【発明の概要】
【発明が解決しようとする課題】
【０００５】
しかし，上述の従来技術は，プリンタあるいは排紙スタッカからの信号入力数に基づいて印刷再開時のページ番号を決定するため，プリンタあるいは排紙スタッカからの信号入力数に誤りがある場合，誤ったページ番号から印刷再開されてしまう危険性があった。
【０００６】
そこで，本発明は，印刷停止する前に最後に印刷したページのページ番号に基づいて印刷再開時のページ番号を決定できるプリンタおよび印刷再開方法を提供することを目的とする。
【課題を解決するための手段】
【０００７】
上述した課題を解決する第１の発明は，画像を印字するプリント部と排紙部の間に設置され，前記プリント部が印刷した印刷物に印字されたページ番号を光学的に読み取るカメラと，各ページの中間ファイルを記憶しているスプール部と，印刷停止後に印刷を再開する際，前記カメラを用いてページ番号を取得した後，前記スプール部を参照し，前記カメラを用いて取得したページ番号の次のページ番号に対応する前記中間ファイルを未印刷の前記中間ファイルの中から検索し，検索した前記中間ファイルを用いて印刷を再開するプリンタ制御部を備えたことを特徴とするプリンタである。
【０００８】
また，第２の発明は，プリンタが，印刷停止後に印刷を再開する際，画像を印字するプリント部と排紙部の間に設置されたカメラを用いて，印刷物からページ番号を光学的に読み取る段階と，各ページの中間ファイルを記憶しているスプール部を参照し，前記カメラを用いて取得したページ番号の次のページ番号に対応する前記中間ファイルを未印刷の前記中間ファイルの中から検索する段階と，検索した前記中間ファイルを用いて印刷を再開する段階を実行することを特徴とするプリンタの印刷再開方法である。
【発明の効果】
【０００９】
上述した本発明によれば，画像を印字するプリント部と排紙部の間に設置されたカメラを用いて取得したページ番号に基づいて印刷再開時のページ番号が決定されるため，印刷停止する前に最後に印刷したページのページ番号に基づいて印刷再開時のページ番号が決定されることになる。
【図面の簡単な説明】
【００１０】
【図１】本実施形態に係るプリンタを配置したシステムの構成を説明する図。
【図２】実施形態に係るプリンタのブロック図。
【図３】印刷再開後のページの連続性を保証する内容を説明する図。
【発明を実施するための形態】
【００１１】
ここから，本発明の好適な実施形態を記載する。なお，以下の記載は本発明の範囲を束縛するものでなく，理解を助けるために記述するものである。
【００１２】
図１は，本実施形態に係るプリンタ１を配置したシステム２の構成を説明する図で，本実施形態に係るプリンタ１のブロック図である。
【００１３】
図１に図示したシステム２は，ページ毎にページ番号が印刷される印刷物２ｄ（例えば，帳票）の印刷に用いるプリンタ２と，プリンタ２に連続用紙２ｃを供給する給紙部２ａと，プリンタ２で印刷された印刷物２ｄをロール状に巻き取る排紙部２ｂとから構成される。
【００１４】
図２に図示したように，プリンタ２は，プリンタ２全体を制御するプリンタ制御部１０と，ページ毎の中間ファイルを記憶しているスプール部１２と，連続用紙２ｃに画像を印字するプリント部１１と，プリント部１１と排紙部２ｂの間に設置され，プリント部１１が印刷した印刷物に印字されたページ番号を光学的に読み取るカメラ１３を備えている。
【００１５】
プリンタ２のプリント部１１は，給紙部２ａから供給された連続用紙２ｃにカラー印刷またはモノクロ印刷を行うもので，印刷方式としては，感光ドラムを帯電させる電子写真式やインクを微滴化して吐出するインクジェット方式などが知られている。また，図１では，印刷に用いる用紙を連続用紙２ｃとしているが，印刷に用いる用紙は枚葉紙であっても構わない。
【００１６】
プリンタ２のスプール部１２に記憶される中間ファイルとは，印刷物２ｄの入稿ファイルをメタデータ形式に変換したファイルで，中間ファイルの形式としては，ＯｕｔｌｉｎｅＰＤＦ（Portable Document Format），ＪＤＦ（Job Definition Format) やＥＭＦ（Enhanced Metafile）が有名である。
【００１７】
プリンタ２のカメラ１３は，プリンタ２が停止した際，プリント部１１から排出された印刷物２ｄからページ番号を読み取る装置である。図１では，説明を分かり易くするために，プリンタ２と排紙部２ｂの間にカメラ１３を配置しているが，詳しくは，プリンタ２が最後に印刷した印刷物２ｄのページ番号を読み取れる位置にカメラ１３は配置される。
【００１８】
プリンタ２のプリンタ制御部１０は，コンピュータプログラムで実現されるもので，本実施形態のプリンタ制御部１０は，プリント部１１を用いて，スプール部１２に記憶されている中間ファイルをページ番号順に利用して印刷する機能に加え，印刷を再開する際，それまでに印刷したページと印刷再開後のページの連続性を保証する機能を備える。
【００１９】
図３は，印刷再開後のページの連続性を保証する内容を説明する図である。プリンタ２のプリンタ制御部１０は，印刷停止した後，印刷を再開する操作がなされると，カメラ１３を作動させて，プリント部１１から排出された印刷物２ｄからページ番号を読み取らせ，印刷停止する前に最後に印刷したページ番号を取得する処理を行う（Ｓ１）。
【００２０】
次に，プリンタ２のプリンタ制御部１０は，スプール部１２を参照し，未印刷の中間ファイルの中から，カメラ１３を用いて取得したページ番号の次のページ番号に該当する中間ファイルを検索する（Ｓ２）。なお，ページ番号は印刷物２ｄの各ページの所定位置に印刷されるため，ページ番号を印刷する位置に対応するフォントの画像（例えば，アウトライン化されたフォント）を解析することで，中間ファイルに対応するページ番号を取得することができる。
【００２１】
次に，プリンタ２のプリンタ制御部１０は，検索した中間ファイルを用いて印刷を再開し，この手順は終了する（Ｓ３）。
【符号の説明】
【００２２】
１    プリンタ
１０  プリンタ制御部
１１  プリント部
１２  スプール部
１３  カメラ
【図１】
2014226897.tif 000003
【図２】
2014226897.tif 000004
【図３】
2014226897.tif 000005